(57)【要約】【課題】入浴用の担架と昇降装置との連結を容易とし、使い勝手のよいものとする。【解決手段】バスタブ（２）の一端に対して着脱自在のベース（３）にハンドル操作可能な減速機（１２）を取り付け、この減速機（１２）の出力軸（１１）の両端部を上記ベース（３）に対して移動自在の軸受け（１７）により支持すると共に、出力軸（１１）の両端部に係止スリット（２１）付きの巻き胴（２０）を出力軸（１１）に対し回り止め状態で取り付けてなり、各軸受け（１７）の移動によって出力軸（１１）の端部と各軸受け（１７）とを分離し、各出力軸（１１）の端部に入浴用の担架（７）の支持体（９）の先端の輪（９ｂ）を通し、支持体（９）を巻き胴（２０）の係止スリット（２１）に入れて係止しすることを特徴とする入浴用担架の昇降装置（１）。するようにしている。【選択図】図１
2006149512.tif 000002
【特許請求の範囲】
【請求項１】
バスタブ（２）の一端に対して着脱自在のベース（３）にハンドル操作可能な減速機（１２）を取り付け、この減速機（１２）の出力軸（１１）の両端部を上記ベース（３）に対して移動自在の軸受け（１７）により支持すると共に、出力軸（１１）の両端部に係止スリット（２１）付きの巻き胴（２０）を出力軸（１１）に対し回り止め状態で取り付けてなり、各軸受け（１７）の移動によって出力軸（１１）の端部と各軸受け（１７）とを分離し、各出力軸（１１）の端部に入浴用の担架（７）の支持体（９）の先端の輪（９ｂ）を通し、支持体（９）を巻き胴（２０）の係止スリット（２１）に入れて係止しすることを特徴とする入浴用担架の昇降装置（１）。
【請求項２】
バスタブ（２）の一端に支持体（９）の張り方向に向けて取り付けられたロッド（４）およびパイプ（５）の一方と、ベース（３）と一体のロッド（４）およびパイプ（５）の他方とを挿入することにより、バスタブ（２）の一端に対してベース（３）を着脱自在とすることを特徴とする請求項１記載の入浴用担架の昇降装置（１）。
【請求項３】
係止スリット（２１）付きの巻き胴（２０）を出力軸（１１）の方向に移動自在とすることを特徴とする請求項１または請求項２記載の入浴用担架の昇降装置（１）。
【請求項４】
減速機（１２）をウオーム減速機とし、出力軸（１１）と一体のウオームホイール（１３）をハンドル操作可能な入力軸（１５）のウオーム（１４）にかみ合わせることを特徴とする請求項１、請求項２または請求項３記載の入浴用担架の昇降装置（１）。
【発明の詳細な説明】
【技術分野】
【０００１】
本発明は、バスタブに仕掛ける担架を昇降させる装置に関する。
【背景技術】
【０００２】
要介護者等の入浴に際して、ハンモック状の担架が利用される。入浴者は、バスタブに仕掛けられたハンモック状の担架に乗せられ、ハンモック状の担架の昇降により入浴する。バスタブにはハンモック状の担架の昇降のためにバスタブに昇降装置が取り付けられている。
【０００３】
従来の種の昇降装置では、部分的に大きな荷重が掛かるため、堅牢な構成とすると、装置が重くなり、取り扱いにくく、また担架と昇降装置との連結が煩雑であるという、欠点がある。
【特許文献１】特開平０９−３２２８６８号公報
【特許文献２】特開平２００２−２２４１６３号公報
【発明の開示】
【発明が解決しようとする課題】
【０００４】
本発明の課題は、入浴用の担架と昇降装置との連結を容易とし、使い勝手のよいものとすることである。
【課題を解決するための手段】
【０００５】
上記の課題のもとに、本発明は、バスタブの一端に対して着脱自在のベースにハンドル操作可能な減速機を取り付け、この減速機の出力軸の両端部を上記ベースに対して移動自在の軸受けにより支持すると共に、出力軸の両端部に係止スリット付きの巻き胴を出力軸に対し回り止め状態で取り付けて、入浴用担架の昇降装置を構成し、各軸受けの移動によって出力軸の端部と各軸受けとを分離し、各出力軸の端部に入浴用担架の支持体の先端の輪を通し、支持体を巻き胴の係止スリットに入れて係止し、この状態で各軸受けを戻し、出力軸の端部を各軸受けで支持してから、減速機のハンドル操作によって、出力軸を所定の方向に回して、担架を上昇または下降させるようにしている。
【０００６】
ベースはパイプにロッドを挿入によりバスタブに対して着脱自在着脱自在となっている。パイプは例えばバスタブの一端に支持体の張り方向に向けて取り付けられ、またロッドはベースに固定されている。
【０００７】
スリット付きの巻き胴は出力軸の方向に移動自在となっており、また、減速機はウオーム減速機により構成されており、その出力軸と一体のウオームホイールをハンドル操作可能なウオームにかみ合わせられている。
【発明の効果】
【０００８】
本発明によると、以下の効果が得られる。各軸受けの移動によって出力軸の端部と各軸受けとを分離できるから、各出力軸の端部に入浴用担架の支持体の先端の輪を簡単に通すことができる。この通し状態で支持体を巻き胴のスリットに入れれば、支持体が巻き胴に係止できる。この状態で各軸受けを戻せば、巻き胴の両端位置で出力軸がいわゆる両持ち状態となるため、出力軸の支持が片持ち支持よりも安定する。
【０００９】
パイプに対するロッドの挿入方向が支持体の張り方向になっているから、支持体に荷重が作用しておれば、パイプからロッドが抜けず、特別な係止手段も必要とせず、構造も簡単になる。
【００１０】
スリット付きの巻き胴が出力軸の方向に移動自在となっていると、出力軸の端部に対して支持体の輪が掛けやすくなる。また減速機がウオーム減速機により構成されていると、出力軸とハンドルの方向とが交差するため、設計上有利であり、しかもウオーム減速機の自動止まり作用によって、特別なロック手段がなくても、担架を適当な高さに保持することができる。
【発明を実施するための最良の形態】
【００１１】
図１ないし図３は、本発明の入浴用担架の昇降装置１を示している。本発明の入浴用担架の昇降装置１は、移動可能なバスタブ２の一端に対して着脱自在のベース３により構成されている。なお、この例で、バスタブ２は分割式であり、ベース３は、バスタブ２の一端（入浴者の足側）面に向き合う位置で、２本の平行なロッド４を有している。これらの２本の平行なロッド４は、バスタブ２と一体の２本のパイプ５に挿入することにより、バスタブ２に対してベース２を着脱自在としてある。２本のパイプ５は、バスタブ２の一端に取り付けられた脚６の部分に固定されている。なお、２本の平行なロッド４と２本のパイプ５との取り付け位置は、上記と逆であってもよい。
【００１２】
バスタブ２は、他端（入浴者の頭側）にも脚６を有し、その上面位置の係止具８でハンモック状入浴用の担架７の２本の支持体９の一端を係止する。２本の支持体９は、布製帯により構成され、一端の輪９ａで係止具８に通され、係止具８は、バスタブ２上面位置の孔から脚６の部分などに対して着脱自在にはめ込まれる。
【００１３】
２本の支持体９は、バスタブ２の湯溜まり部分で入浴者保持用のネット１０の縁と一体となっており、他端の輪９ｂにより入浴用担架の昇降装置１の出力軸１１に連結できるようになっている。なお、２本のパイプ５およびロッド４は、支持体９の張り方向（バスタブ２の長手方向）に向けて取り付けられおり、２本のパイプ５に対する２本のロッド４の挿入方向は、支持体９の張り方向（バスタブ２の長手方向）となっている。このため、支持体９に荷重（入浴者の体重）が作用しておれば、ロッド４はパイプ５から抜けず、特別な係止手段も必要とならない。
【００１４】
ベース３は、その上の中心位置でハンドル操作可能な減速機１２を有している。この減速機１２は、ウオーム減速機であり、その内部に出力側のウオームホイール１３とこれにかみ合う入力側のウオーム１４とを内蔵している。入力側のウオーム１４の入力軸１５はバスタブ２の長手方向）に平行であり、ハンドル１６と一体となっている。また、出力側のウオームホイール１３は、バスタブ２の長手方向に対して直行する方向の出力軸１１と一体となっている。
【００１５】
出力軸１１は、その中心の減速機１２の位置で支持されているが、その両端の部分でも軸受け１７により回転自在に支持されている。各端部の軸受け１７は、ベース３に対して出力軸１１の軸方向に図示しないリニアガイドなどにより移動自在であり、中心寄りの移動位置で出力軸１１の端部にはまり、それを回転自在に支持するが、ベース３に案内されて中心から離れる方向に移動することにより、出力軸１１の端部から離れ、出力軸１１の端部と軸受け１７との間に空間を形成する。この空間は、支持体９の輪９ｂを出力軸１１の端部に通すためのものである。なお、軸受け１７に必要に応じて、移動可能な軸受け１７をベース３に固定するために図示しない適当な係止手段が設けられる。
【００１６】
出力軸１１の端部に支持体９の輪９ｂに合う大きさのフランジ付き筒体１８およびスリット付きの巻き胴２０がキー１９により出力軸１１に対して回り止め状態で取り付けられている。フランジ付き筒体１８は、出力軸１１に嵌まり、その位置で軸方向に固定されている。またスリット付きの巻き胴２０は、出力軸１１の先端側で開口するカップ状であり、支持体９を受け入れるために、外周面に１つの係止スリット２１を形成しており、減速機１２の側の底部で出力軸１１に嵌まり、キー１９により回り止めされている。
【００１７】
スリット付きの巻き胴２０が出力軸１１の端部に移動してフランジ付き筒体１８と重なっているとき、スリット付きの巻き胴２０は底部の例えば３つの孔２２によって、フランジ付き筒体１８に埋め込まれた３本のピン２３に嵌まり、フランジ付き筒体１８に対しても回り止めされている。
【００１８】
なお、入力軸１５のハンドル１６の回転方向、回転量および回転限度は、ケース２７の目盛り２９に対する指示針２６の移動から目視できるようになっている。指示針２６はケース２７の案内スリット２８内でナット２５と一体となっており、ナット２５は入力軸１５の先端に取り付けられている適当なリードのねじ２４にねじ結合しており、ケース２７の案内スリット２８にそって指示針２６をねじ進行方向に案内する。
【００１９】
入浴用担架の昇降装置１の使用時に、作業者は、入浴のための場所で、図１のように、バスタブ２を組み立て、入浴用の担架７をバスタブ２の中に入れ、その支持体９の輪９ａを係止具８に通して、バスタブ２の入浴者頭側に係止してから、図２のように、入浴者足側の脚６の２本のパイプ５に入浴用担架の昇降装置１の２本のロッド４を挿入し、図１のように、バスタブ２に入浴用担架の昇降装置１を取り付ける。
【００２０】
次に作業者は、図３の上側のように、軸受け１７を減速機１２から離れる方向に移動させることによって、出力軸１１の端部と軸受け１７とを分離し、そこに空間を形成するとともに、巻き胴２０を減速機１２に近づく方向に移動させ、出力軸１１の端部の筒体１８に担架７の支持体９の輪９ｂを通してから、巻き胴２０を減速機１２から離れる方向に移動させて、巻き胴２０の係止スリット２１に支持体９を入れて係止し、巻き胴２０を筒体１８に重ねる。この操作によって、支持体９の輪９ｂは、出力軸１１に係止され、同時に支持体９は出力軸１１の回転により巻き込めるようになる。
【００２１】
このあと、作業者は、図３の下側のように、軸受け１７を戻し、出力軸１１の端部を各軸受け１７により支持してから、減速機１２のハンドル１６を巻き上げ方向に回して、出力軸１１を巻き上げ方向に回転させる。このとき、担架７の支持体９は、巻き胴２０の外周に巻き取られて張り状態となるため、担架７のネット１０は、バスタブ２の内底から持ち上がる。
【００２２】
ハンドル１６の回転操作の時に、作業者は、指示針２６の移動を目視して、回転方向や回転限度としての上限を確認できる。この状態で、バスタブ２に湯を入れれば、入浴の準備が完了する。このあと、作業者は、入浴者を担架７のネット１０に載せ、担架７を下げて入浴させる。支持体９に荷重（入浴者の体重）が作用しておれば、ロッド４はパイプ５から抜けず、特別な係止手段や抜け止め手段も必要とならない。
【００２３】
出力軸１１に入浴者の体重により大きなトルクが作用しても、減速機１２は自動止まり作用によって逆転しないため、入浴者の担架７は任意の高さ位置で止められる。しかも、出力軸１１は、中間位置で減速機１２により支持され、かつ両端でも軸受け１７でも支持されているから、入浴者を支える担架７の支持体９の張力に充分に耐える。
【００２４】
なお、スリット付きの巻き胴２０は、出力軸１１の軸方向に移動自在でなく、フランジ付き筒体１８に重なる状態で出力軸１１に固定されていてもよい。また、筒体１８は必ずしも必要でなく、省略できる。
【産業上の利用可能性】
【００２５】
本発明の入浴用担架の昇降装置１は、バスタブに対する取り付け手段を工夫することによって固定のバスタブに装着することもできる。
【図面の簡単な説明】
【００２６】
【図１】入浴用担架の昇降装置１をバスタブ２を取り付けた状態の平面図である。
【図２】入浴用担架の昇降装置１をバスタブ２を取り付けるときの拡大側面図である。
【図３】入浴用担架の昇降装置１をバスタブ２を取り付けた状態の拡大平面図である。
【符号の説明】
【００２７】
１  入浴用担架の昇降装置
２  バスタブ
３  ベース
４  ロッド
５  パイプ
６  脚
７  担架
８  係止具
９  支持体
９ａ、９ｂ  輪
１０  ネット
１１  出力軸
１２  減速機
１３  ウオームホイール
１４  ウオーム
１５  入力軸
１６  ハンドル
１７  軸受け
１８  筒体
１９  キー
２０  巻き胴
２１  係止スリット
２２  孔
２３  ピン
２４  ねじ
２５  ナット
２６  指示針
２７  ケース
２８  案内スリット
２９  目盛り
【図１】
2006149512.tif 000003
【図２】
2006149512.tif 000004
【図３】
2006149512.tif 000005